(57)【要約】【課題】燃料電池セル内の乾燥状態を判定し、ドライアップとならないように発電を制御する。【解決手段】燃料電池セルの乾燥状態を測定するためにあらかじめ規定された測定環境下において、燃料電池セルの端子間に印加する電圧を走査し、走査する電圧の電圧値および電圧値において前記端子間に流れる電流値を測定する。測定した電圧値および電流値から燃料電池セルの容量成分を算出し、算出した容量成分に基づいて燃料電池セルの乾燥状態を判定する。【選択図】図２
2012089449.tif 000002
【特許請求の範囲】
【請求項１】
燃料電池セルから構成される燃料電池を備えた燃料電池システムであって、
前記燃料電池システムの動作を制御する制御部と、
前記制御部からの指示に従って、前記燃料電池セルの２つの電極にそれぞれ発電用のガスを供給するガス供給部と、
前記制御部からの指示に従って、前記燃料電池からの電力の出力を制御する電力出力制御部と、
前記制御部からの指示に従って、前記燃料電池セルの電極間に印加する電圧を走査し、前記走査する電圧の電圧値および前記電圧値において前記電極間に流れる電流値を測定する測定部と、
を備え、
前記制御部は、
前記燃料電池セルの乾燥状態を測定するためにあらかじめ規定された測定環境下で前記ガス供給部が動作している状態において、前記測定部によって前記電圧値および前記電流値を測定させ、前記電圧値および前記電流値から前記燃料電池セルの乾燥状態と相関を有する容量成分を算出し、前記容量成分に基づいて前記燃料電池セルの乾燥状態を判定する乾燥状態判定部を含む
ことを特徴とする燃料電池システム。
【請求項２】
請求項１記載の燃料電池システムであって、
前記制御部は、
あらかじめ規定された容量成分と出力可能最大電流との関係を示す情報を参照することにより、算出した前記容量成分に対応する前記燃料電池の乾燥状態において出力が許容される出力許容電流値を決定する出力許容電流決定部を含む
ことを特徴とする燃料電池システム。
【請求項３】
請求項２記載の燃料電池システムであって、
前記制御部は、
前記出力許容電流値以下で前記燃料電池セルが発電するように前記ガス供給部および前記電力出力制御部の動作を制御する発電制御部を含む
ことを特徴とする燃料電池システム。
【請求項４】
請求項３記載の燃料電池システムであって、
前記発電制御部は、出力要求が前記出力許容電流値を超える場合において、前記ガス供給部の動作を制御して、前記ガス供給部が供給するガスを加湿することにより、前記燃料電池セル内を加湿させることを特徴とする燃料電池システム。
【請求項５】
請求項１ないし請求項４のいずれか一項に記載の燃料電池システムであって、
前記測定部の前記走査する電圧の下限値は０．８Ｖとすることを特徴とする燃料電池システム。
【請求項６】
燃料電池セルから構成される燃料電池を備えた燃料電池システムの制御方法であって、
前記燃料電池セルの乾燥状態を測定するためにあらかじめ規定された測定環境下において、前記燃料電池セルの端子間に印加する電圧を走査し、前記走査する電圧の電圧値および前記電圧値において前記端子間に流れる電流値を測定する工程と、
前記電圧値および前記電流値から前記燃料電池セルの容量成分を算出し、前記容量成分に基づいて前記燃料電池セルの乾燥状態を判定する工程と、
を備えることを特徴とする料電池システムの制御方法。
【発明の詳細な説明】
【技術分野】
【０００１】
本発明は、燃料電池セル内の乾燥によって発生する発電性能が大きく低下してしまう状態（いわゆる「ドライアップ」）とならないように発電を制御することが可能な技術に関する。
【背景技術】
【０００２】
燃料電池セルの構成要素として用いられる電解質膜は、水分を含んだ状態においてのみ高いプロトン（水素イオン）の伝導性を示す。このため、燃料電池セル内の水分が不足して電解質膜の乾燥が進むと、プロトン伝導率（イオン伝導率）の低下に伴って燃料電池セルの発電性能が大きく低下してしまう状態（ドライアップ）が発生する。
【０００３】
従来技術として、例えば特許文献１には、燃料電池セルのドライアップの発生を検知して、発電性能の回復制御を実行する技術が開示されている。
【先行技術文献】
【特許文献】
【０００４】
【特許文献１】特開２００９−１８１７９４号公報
【特許文献２】特開２０１０−１２９２２６号公報
【特許文献３】特開２００８−０４１５５９号公報
【発明の概要】
【発明が解決しようとする課題】
【０００５】
しかしながら、ドライアップが発生して発電性能が低下する速度、具体的には、電圧が降下する速度は、非常に速いため、従来技術のようにドライアップの発生を検知してから回復制御を実行していたのでは、発電性能の低下（電圧降下）を回避することはできない、という問題がある。
【０００６】
そこで、本発明は、燃料電池セル内の乾燥状態を判定し、これに応じてドライアップとならないように発電を制御することが可能な技術を提供することを目的とする。
【課題を解決するための手段】
【０００７】
本発明は、上述の課題の少なくとも一部を解決するためになされたものであり、以下の形態又は適用例として実現することが可能である。
【０００８】
［適用例１］
燃料電池セルから構成される燃料電池を備えた燃料電池システムであって、
前記燃料電池システムの動作を制御する制御部と、
前記制御部からの指示に従って、前記燃料電池セルの２つの電極にそれぞれ発電用のガスを供給するガス供給部と、
前記制御部からの指示に従って、前記燃料電池からの電力の出力を制御する電力出力制御部と、
前記制御部からの指示に従って、前記燃料電池セルの電極間に印加する電圧を走査し、前記走査する電圧の電圧値および前記電圧値において前記電極間に流れる電流値を測定する測定部と、
を備え、
前記制御部は、
前記燃料電池セルの乾燥状態を測定するためにあらかじめ規定された測定環境下で前記ガス供給部が動作している状態において、前記測定部によって前記電圧値および前記電流値を測定させ、前記電圧値および前記電流値から前記燃料電池セルの乾燥状態と相関を有する容量成分を算出し、前記容量成分に基づいて前記燃料電池セルの乾燥状態を判定する乾燥状態判定部を含む
ことを特徴とする燃料電池システム。
上記燃料電池システムによれば、算出した燃料電池セルの容量成分は燃料電池セルの乾燥状態と相関があるので、燃料電池セルの乾燥状態を判定することが可能となるため、判定した燃料電池セルの乾燥状態に応じて、ドライアップが発生しないような発電制御を容易に行うことが可能となる。
【０００９】
［適用例２］
適用例１記載の燃料電池システムであって、
前記制御部は、
あらかじめ規定された容量成分と出力可能最大電流との関係を示す情報を参照することにより、算出した前記容量成分に対応する前記燃料電池の乾燥状態において出力が許容される出力許容電流値を決定する出力許容電流決定部を含む
ことを特徴とする燃料電池システム。
この構成によれば、判定した燃料電池セルの乾燥状態において、ドライアップが発生しないと推定される出力許容電流値を容易に求めることができる。
【００１０】
［適用例３］
適用例２記載の燃料電池システムであって、
前記制御部は、
前記出力許容電流値以下で前記燃料電池セルが発電するように前記ガス供給部および前記電力出力制御部の動作を制御する発電制御部を含む
ことを特徴とする燃料電池システム。
この構成によれば、判定した燃料電池セルの乾燥状態において、燃料電池セルが発電により出力する電流は、ドライアップが発生しないと推定される出力許容電流値以下となるように制御されるので、ドライアップが発生して発電性能が低下し、発生電圧が負電圧となって、燃料電池セルが劣化することを抑制することが可能となる。
【００１１】
［適用例４］
適用例３記載の燃料電池システムであって、
前記発電制御部は、出力要求が前記出力許容電流値を超える場合において、前記ガス供給部の動作を制御して、前記ガス供給部が供給するガスを加湿することにより、前記燃料電池セル内を加湿させることを特徴とする燃料電池システム。
この構成によれば、出力許容電流値を越える電流を出力するように発電しても、燃料電池セルを加湿して乾燥状態を改善することにより、ドライアップが発生して発電性能が低下し、発生電圧が負電圧となって、燃料電池セルが劣化することを抑制することが可能となる。
【００１２】
［適用例５］
適用例１ないし適用例４のいずれか一例に記載の燃料電池システムであって、
前記測定部の前記走査する電圧の下限値は０．８Ｖとすることを特徴とする燃料電池システム。
この構成によれば、走査する電圧の変動の幅を制限することにより、燃料電池セルに含まれる触媒電極の劣化を抑制することができる。
【００１３】
なお、本発明は、種々の形態で実現することが可能であり、例えば、燃料電池システム、燃料電池システムの制御方法、および、燃料電池セルの乾燥状態判定方法などの種々の形態で実現することが可能である。
【図面の簡単な説明】
【００１４】
【図１】第１実施例としての燃料電池システムの概略構成を示すブロック図である。
【図２】燃料電池セルの乾燥状態に応じて実行する出力許容電流制御を示すフローチャートである。
【図３】走査電圧Ｖｓと発生電流Ｉｓとの関係の一例を示す説明図である。
【図４】燃料電池セルの容量成分と最大電流との関係を示す説明図である。
【図５】背圧と容量成分との関係を示す説明図である。
【図６】温度と容量成分との関係を示す説明図である。
【図７】第２実施例における走査電圧Ｖｓと発生電流Ｉｓとの関係の一例を示す説明図である。
【図８】第２実施例における燃料電池セルの容量成分と最大電流との関係を示す説明図である。
【図９】第３実施例における燃料電池セルの乾燥状態に応じて実行する出力許容電流制御を示すフローチャートである。
【発明を実施するための形態】
【００１５】
本発明の実施の形態を、実施例に基づいて以下の順序で説明する。
Ａ．第１実施例：
Ｂ．第２実施例：
Ｃ．第３実施例：
Ｄ．変形例：
【００１６】
Ａ．第１実施例：
Ａ１．システム構成：
図１は、第１実施例としての燃料電池システムの概略構成を示すブロック図である。この燃料電池システム１０は、燃料電池１００と、アノードガス（燃料ガス）供給部２００およびカソードガス（酸化ガス）供給部３００と、冷却装置４００と、モニター切替部５００と、ポテンショスタット６００と、電力出力制御部７００と、システム制御部８００と、負荷装置９００と、を備えている。
【００１７】
燃料電池１００は、アノードに供給されるアノードガスとしての燃料ガス（水素）と、カソードに供給されるカソードガスとしての酸化ガス（空気に含まれる酸素）との電気化学反応により電力を発生する。この燃料電池１００としては、固体高分子電解質膜を用いた燃料電池セルで構成される燃料電池が対象となる。また、燃料電池１００は、複数の燃料電池セル１１０を積層したスタック構造を有するものとする。
【００１８】
燃料電池セル１１０は、図示は省略するが、基本的に、膜電極接合体（（ＭＥＡ：Membrane-Electrode Assembly）をセパレータで挟持した構成を有している。ＭＥＡは、イオン交換膜からなる電解質膜と、電解質膜のアノード側の面上に形成された触媒電極（「アノード側触媒電極」とも呼ぶ）と、電解質膜のカソード側の面上に形成された触媒電極（「カソード側触媒電極」とも呼ぶ）とで構成される。ＭＥＡとセパレータとの間には、アノード側およびカソード側に、それぞれガス拡散層（ＧＤＬ）が設けられている。また、セパレータとガス拡散層に接する面には、アノードガスやカソードガスのガスを流す溝状のガス流路が形成されている。ただし、セパレータとガス拡散層との間に、ガス流路部が別途設けられる場合もある。
【００１９】
アノードガス供給部２００は、水素供給源２１０と、流量調整部２２０と、加湿調整部２３０と、背圧調整バルブ２４０と、を備える。水素供給源２１０と、流量調整部２２０と、加湿調整部２３０と、背圧調整バルブ２４０とは、それぞれ、システム制御部８００の入出力制御部８１０に接続されており、システム制御部８００からの指示に従って動作する。
【００２０】
アノードガス供給部２００は、燃料電池１００を構成する各燃料電池セル１１０のアノード（以下、「燃料電池１００のアノード」とも略す）に、水素供給源２１０から、配管２７０ａ、流量調整部２２０、配管２７０ｂ、加湿調整部２３０、および、配管２７０ｃを介して、燃料ガスである水素をアノードガスとして供給する。水素供給源２１０は、例えば、高圧水素が貯蔵された水素タンクと圧力調整弁を用いて構成することができ、貯蔵されている水素を、システム制御部８００からの指示に従った圧力で流量調整部２２０へ向けて送り出すことができる。また、流量調整部２２０は、システム制御部８００からの指示に従った流量でアノードガス（水素）を燃料電池１００のアノードへ供給する。また、加湿調整部２３０は、流量調整部２２０から送り出されたアノードガスを、システム制御部８００からの指示に従って加湿する。なお、配管２７０ｃには、露点計２８０が接続されており、燃料電池１００のアノードに供給されるアノードガスの露点温度Ｈａを計測することができ、その出力は、システム制御部８００の入出力制御部８１０に接続される。そして、この露点温度からアノードガスの湿度を求めることができる。
【００２１】
また、アノードガス供給部２００は、燃料電池１００のアノードから排出されたアノードオフガスを、配管２７０ｄ、背圧調整バルブ２４０、配管２７０ｅを介して、排気口３６０から排出する。この際、背圧調整バルブ２４０は、システム制御部８００からの指示に従って、バルブの開閉量を調整することにより、燃料電池１００のアノードを流れるアノードガス（水素）の圧力を調整する。なお、アノードオフガスは、電気化学反応に供された後のアノードガス、すなわち、燃料ガス（水素）である。なお、配管２７０ｃには、圧力計２９０が接続されており、燃料電池１００のアノードに供給されるアノードガスの圧力Ｐａを計測することができ、その出力は、システム制御部８００の入出力制御部８１０に接続される。また、配管２７０ｄにも、圧力計２９２が接続されており、燃料電池１００のアノードから排出されるアノードオフガスの圧力（背圧）Ｐａｂを計測することができ、その出力は、システム制御部８００の入出力制御部８１０に接続される。
【００２２】
カソードガス供給部３００は、吸気口３１０と、コンプレッサ３２０と、流量調整部３３０と、加湿調整部３４０と、背圧調整バルブ３５０と、を備える。コンプレッサ３２０と、流量調整部３３０と、加湿調整部３４０と、背圧調整バルブ３５０とは、それぞれ、システム制御部８００の入出力制御部８１０に接続されており、システム制御部８００からの指示に従って動作する。
【００２３】
カソードガス供給部３００は、燃料電池１００を構成する各燃料電池セル１１０のカソード（以下、「燃料電池１００のカソード」とも略す）に、吸気口３１０、配管３７０ａ、コンプレッサ３２０、配管３７０ｂ、流量調整部３３０、配管３７０ｃ、加湿調整部３４０、および、配管３７０ｄを介して、酸化ガスである酸素を含む空気をカソードガスとして供給する。この際、コンプレッサ３２０は、吸気口３１０から取り込む空気をシステム制御部８００からの指示に従った圧力で流量調整部３３０へ向けて送り出す。また、流量調整部３３０は、システム制御部８００からの指示に従った流量でカソードガスを燃料電池１００のカソードへ供給する。また、加湿調整部３４０は、流量調整部３３０から送り出されたカソードガスを、システム制御部８００からの指示に従って加湿する。なお、配管３７０ｄには、露点計３８０が接続されており、燃料電池１００のアノードに供給されるカソードガスの露点温度Ｈｃを計測することができ、その出力は、システム制御部８００の入出力制御部８１０に接続される。そして、この露点温度からカソードガスの湿度を求めることができる。
【００２４】
また、カソードガス供給部３００は、燃料電池１００のカソードから排出されたカソードオフガスを、配管３７０ｅ、背圧調整バルブ３５０、および、配管３７０ｆを介して排気口３６０から排出する。なお、配管３７０ｄには、圧力計３９０が接続されており、燃料電池１００のカソードへ供給されるカソードガスの圧力Ｐｃを計測することができ、その出力は、システム制御部８００の入出力制御部８１０に接続される。また、配管３７０ｅにも、圧力計３９２が接続されており、燃料電池１００のカソードから排出されるカソードオフガスの圧力（背圧）Ｐｃｂを計測することができ、その出力は、システム制御部８００の入出力制御部８１０に接続される。
【００２５】
なお、アノードガス供給部２００およびカソードガス供給部３００が本発明のガス供給部に相当する。
【００２６】
冷却装置４００は、２つの配管４１０ａ，４１０ｂを介して燃料電池１００に接続されており、配管４１０ａを介して、冷却媒体を供給し、配管４１０ｂを介して、冷却に供された後の冷却媒体を受け取ることにより、冷却媒体を循環させて、燃料電池１００の冷却を実行する。冷却媒体としては、水、不凍液、空気等を用いることができる。なお、配管４１０ｂには、温度計４２０が接続されており、配管４１０ｂを流れる冷却媒体の温度を測定することにより、各燃料電池セル１１０の温度を測定することができる。なお、温度計４２０の出力は、システム制御部８００の入出力制御部８１０に接続される。
【００２７】
モニター切替部５００は、各燃料電池セル１１０のモニター端子１２０に接続されており、いずれか一つの燃料電池セル１１０のアノード（電極）およびカソード（電極）に対応するモニター端子を、ポテンショスタットの２つの電圧供給端子６１０に接続する。なお、モニター切替部５００は、システム制御部８００の入出力制御部８１０に接続されており、モニター端子の接続の切換は、システム制御部８００からの指示に従って実行さる。
【００２８】
ポテンショスタット６００は、システム制御部８００の入出力制御部８１０に接続されており、システム制御部８００からの指示に従って、モニター切替部５００を介して接続されたモニター端子１２０間、すなわち、一つの燃料電池セル１１０のアノードとカソードとの間に、一定の速度で変化する走査電圧Ｖｓを印加し、印加した走査電圧Ｖｓの電圧値を電圧計６３０で測定し、発生する電流Ｉｓの電流値を電流計６２０で測定する。なお、ポテンショスタットでなくても、印加する電圧を一定速度で走査可能であり、そのときの電圧と電流を測定可能な装置であれば用いることができる。なお、このポテンショスタットが本発明における測定部に相当する。
【００２９】
電力出力制御部７００は、負荷装置９００への電力の出力を制御する制御回路や、二次電池７５０の充放電を制御する制御回路、コンプレッサや流量調整部、加湿調整部、ポテンショスタット、バルブ、システム制御部、起動回路等への電力の出力を制御する制御回路や、余剰電力調整用の制御回路等の図示しない種々の制御回路を有している。
【００３０】
負荷装置９００としては、燃料電池の電力を利用可能な全ての負荷装置が適用可能である。例えば、燃料電池システムを搭載した自動車の場合には、負荷装置としては電動モータ等が挙げられる。
ある。
【００３１】
システム制御部８００は、入出力制御部８１０と、発電制御部８２０と、乾燥状態判定部８３０と、出力許容電流決定部８４０と、水収支算出部８５０と、記憶部８６０と、を備え、燃料電池システム１０の動作を制御する。
【００３２】
入出力制御部８１０は、実際に燃料電池システムの各構成要素からの出力を受け取って対応する機能ブロックに受け渡すとともに、対応する機能ブロックからの指示を各構成要素に出力して、各構成要素の動作を実際に制御する機能ブロックである。発電制御部８２０は、入出力制御部８１０を介して各構成要素の動作を制御して発電動作を制御する機能ブロックである。乾燥状態判定部８３０は、後述するように、燃料電池セル１１０の乾燥状態、より具体的には、燃料電池セル１１０に含まれる電解質膜の乾燥状態を判定する機能ブロックである。出力許容電流決定部８４０は、後述するように、燃料電池セル１１０の乾燥状態においてドライアップの発生を抑制して出力することが可能な出力許容電流を決定する機能ブロックである。水収支算出部８５０は、後述するように、燃料電池セル１１０内の水収支を算出し、出力許容電流を補正する機能ブロックである。記憶部８６０は、発電制御部８２０がその制御動作に利用する発電制御情報８６０ａや、乾燥状態判定部８３０がその判定動作に利用する乾燥状態判定情報８６０ｂ、出力許容電流決定部８４０が出力許容電流を決定するために出力許容電流決定情報８６０ｃ、水収支算出部８５０が水収支を算出し、出力許容電流を補正するために利用する水収支算出・補正情報８６０ｄを記憶する機能ブロックであり、書き換え可能な不揮発性のメモリにより構成される。
【００３３】
システム制御部８００は、上記したように、発電制御部８２０によって各構成要素の動作を制御して発電動作を制御するとともに、二次電池７５０の充放電を制御して、燃料電池１００の発電による電力の出力と、二次電池７５０からの電力の出力とを制御する。例えば、二次電池７５０のＳＯＣ（State Of Charge：充電状態）が満充電状態の場合には、燃料電池１００の発電を停止して、二次電池７５０から負荷装置９００への電力の出力を行い、ＳＯＣがあらかじめ規定した状態となった場合には、燃料電池１００から負荷装置９００への電力の出力を行うとともに、二次電池７５０への充電を実行する。なお、以下では、このように燃料電池１００の発電を停止して、二次電池７５０から負荷装置９００への電力の出力を行う動作を「間欠運転」とも呼ぶ。また、システム制御部８００は、発電制御部８２０による発電動作の制御と平行して、以下で説明するように、乾燥状態判定部８３０、出力許容電流決定部８４０、および、水収支算出部８５０によって、燃料電池セル１１０の乾燥状態に応じて、ドライアップの発生を抑制して出力することが可能な出力許容電流を決定し、発電制御部８２０によって出力許容電流を超えないように発電を制御することによって、ドライアップの発生を抑制する制御を行っている。
【００３４】
Ａ２．出力許容電流制御：
図２は、燃料電池セルの乾燥状態に応じて実行する出力許容電流制御を示すフローチャートである。この制御は、発電制御部８２０が、乾燥状態判定部８３０と出力許容電流決定部８４０と水収支算出部８５０の動作を制御して実行する。この制御は、燃料電池１００内のいずれかの燃料電池セル１１０を対象として実行する。通常は、温度が上昇して乾燥しやすい積層中央部の燃料電池セルを対象とする。
【００３５】
この制御を開始すると、まず、発電制御部８２０は、間欠運転状態の判断（ステップＳ１０２）を行い、間欠運転でない場合には、二次電池７５０のＳＯＣが満充電に近い状態を示す基準値以上であるか否か判断し（ステップＳ１０４）、間欠運転の場合には、間欠運転が終了するまで待機する（ステップＳ１０６）。
【００３６】
そして、ステップＳ１０４で二次電池のＳＯＣが基準値未満であった場合、および、ステップＳ１０６で間欠運転が終了した場合には、二次電池７５０が充分に充電可能な状態であるので、後述するステップＳ１０８〜Ｓ１１２の処理を実行した後、ステップＳ１０２に戻って上記間欠運転の判断処理を繰り返す。一方、ステップＳ１０４で二次電池７５０のＳＯＣが基準値以上であり、満充電状態に近くて、充電を繰り返すことは不可と判断された状態の場合には、後述するステップＳ１２０〜Ｓ１３０の処理を実行する。なお、この出力許容電流制御は、燃料電池システムの動作を停止するまで、常時実行される。
【００３７】
まず、二次電池７５０が充電可能な状態の場合について説明する。この場合には、上記したように、ステップＳ１０８〜Ｓ１１２の処理が実行された後、ステップＳ１０２に戻る。
【００３８】
ステップＳ１０８では、発電制御部８２０は、乾燥状態判定部８３０によって燃料電池セル１１０の乾燥状態に応じて変化する燃料電池セル１１０の容量成分Ｃｓの測定を実行する。この容量成分の測定は以下で説明するようにして実行することができる。
【００３９】
乾燥状態判定部８３０は、ポテンショスタット６００を制御して、一定の速度で変化する走査電圧Ｖｓを印加し、印加した走査電圧Ｖｓの電圧値を電圧計６３０で測定し、発生する電流Ｉｓの電流値を電流計６２０で測定する。そして、測定した走査電圧Ｖｓの電圧値および電流Ｉｓの電流値を取得する。なお、この場合のアノードガス供給部２００およびカソードガス供給部３００は、１つの燃料電池セル１１０において理論設計値として最大電流０．０６Ａ／ｃｍ２となるように設定されているものとする。例えば、発電に充分なアノードガスが供給されるように、アノードストイキ比は充分高く設定され、カソードイキ比は理論設計値となるようなカソードストイキ比、例えば、例えば、通常の１．５／１に対して１／１に設定される。また、ガスの湿度は無加湿状態とされる。
【００４０】
図３は、走査電圧Ｖｓと発生電流Ｉｓとの関係の一例を示す説明図である。ここで、走査電圧Ｖｓは一定速度で変化する電圧であり、本例では２００ｍＶ／ｓｅｃの速度で変化させている。従って、図４の縦軸は走査電圧Ｖｓを示していると同時に、時間を示していることにもなる。従って、規定値０．０６Ａ／ｃｍ２以上の発生電流Ｉｓの積算値（図中の斜線領域の面積）は、走査電圧Ｖｓの印加により燃料電池セル１１０の容量成分に蓄積された電荷量ｑｓとみなすことができる。そして、この電荷量ｑｓと査電圧Ｖｓの幅とから容量成分Ｃｓの値を求めることができる。
【００４１】
従って、乾燥状態判定部８３０は、取得した走査電圧Ｖｓと発生電流Ｉｓに基づいて、規定値０．０６Ａ／ｃｍ２を除いた発生電流Ｉｓの積算値を求め、求めた積算値から容量成分Ｃｓの値を求める。
【００４２】
次に、図２のステップＳ１１０では、発電制御部８２０は、出力許容電流決定部８４０によって、求めた容量成分Ｃｓの値に対応する乾燥状態の燃料電池セル１１０において出力可能な許容電流の限界値（以下、「出力許容電流値」とも呼ぶ）Ｉｌｉｍｉｔを推定する。出力許容電流値Ｉｌｉｍｉｔは、具体的には、以下で説明するようにして求めることができる。
【００４３】
図４は、燃料電池セルの容量成分と最大電流との関係を示す説明図である。図４の関係は、燃料電池セルの容量成分を求め、求めた容量成分の燃料電池セルの最大電流を実験により求めたものである。この図からわかるように、容量成分の値が小さいほど最大電流は小さくなり、燃料電池セルの乾燥度合いが高くなると考えられる。なお、最大電流は、出力電圧が０Ｖにおける電流であり、これ以上の電流を出力しようとすると、ドライアップが発生し、出力電圧が負電圧となってしまうことが想定される。従って、この最大電流の値が各容量成分に対応する出力許容電流値と推定される。
【００４４】
従って、出力許容電流決定部８４０は、求めた容量成分Ｃｓの値に対応する最大電流の値を、あらかじめ実験的に求めた燃料電池セルの容量成分と最大電流との関係を示した情報を参照することにより、求めた容量成分Ｃｓの値に対応する出力許容電流値Ｉｌｉｍｉｔを推定することができる。あらかじめ実験的に求めた燃料電池セルの容量成分と最大電流との関係を示した情報は、出力許容電流決定情報８６０ｃとして記憶部８６０に記憶されている。
【００４５】
次に、図２のステップＳ１１２では、発電制御部８２０は、並行して実行している発電制御処理において、求めた出力電流許容値Ｉｌｉｍｉｔを超えないように発電制御を実行する。こうして、ステップＳ１０８〜Ｓ１１２の処理を実行後は、再び、ステップＳ１０２に戻って、間欠運転の判断処理を実行する。
【００４６】
次に、二次電池７５０が満充電状態に近く充電を繰り返すことは不可と判断される状態の場合について説明する。この場合には、上記したように、ステップＳ１２０〜Ｓ１３０の処理が実行される。
【００４７】
ステップＳ１２０では、ステップＳ１０８と同様に、発電制御部８２０は、乾燥状態判定部８３０によって燃料電池セル１１０の乾燥状態に応じて変化する燃料電池セル１１０の容量成分Ｃｓの測定を実行する。
【００４８】
そして、ステップＳ１２２では、ステップＳ１１０と同様に、発電制御部８２０は、出力許容電流決定部８４０によって、求めた容量成分Ｃｓの値に対応する乾燥状態の燃料電池セル１１０において出力許容電流値Ｉｌｉｍｉｔを推定する。
【００４９】
ここで、上記したように、二次電池７５０が充電可能状態である場合には、発電制御部８２０は、ステップＳ１０８〜Ｓ１１２の、容量成分Ｃｓの測定、出力許容電流値Ｉｌｉｍｉｔの推定、および、発電制御を繰り返し実行することができる。この場合、容量成分Ｃｓの測定によって発生した電流は、通常、余剰電力として二次電池７５０に充電される。これに対して、二次電池７５０が満充電に近い状態で充電を繰り返すことは不可と判断された場合には、容量成分Ｃｓの測定を繰り返すことは不可である。
【００５０】
そこで、発電制御部８２０は、ステップＳ１２４では水収支算出部８５０によって燃料電池セル１１０内の水収支を計算し、ステップＳ１２６では、ステップＳ１２２で推定した出力許容電流値Ｉｌｉｍｉｔを水収支ＷＢの状況に応じて補正し、補正した値を出力許容電流値Ｉｌｉｍｉｔとする。そして、発電制御部８２０は、並行して実行している発電制御処理において、求めた出力許容電流値Ｉｌｉｍｉｔを超えないように発電制御を実行する。
【００５１】
そして、ステップＳ１２８で間欠運転と判断されるまで、また、ステップＳ１３０で二次電池７５０のＳＯＣが基準値未満で充電可能と判断されるまで、ステップＳ１２４における水収支計算とステップＳ１２６における出力許容電流値Ｉｌｉｍｉｔの補正および発電制御を繰り返す。
【００５２】
なお、水収支ＷＢ［ｇ／ｃｍ２／ｓ］は下記に示す式を用いて計算することができる。
【数１】
2012089449.tif 000003
なお、ＮＨ２Ｏは生成水量［ｇ／ｃｍ２／ｓ］、Ｎｉｎは供給水量［ｇ／ｃｍ２／ｓ］、Ｎｏｕｔは持ち去り水量［ｇ／ｃｍ２／ｓ］を示す。Ｆはファラデー定数［Ｃ／ｍｏｌ］、ＭＨ２Ｏは水の分子量［ｇ／ｍｏｌ］、Ａは発電面積［ｃｍ２］を示す。Ｎａｉｒはエア供給量［ＮＬ／ｓ］、Ｐｓａｔ＿ｏｕｔは飽和水蒸気圧(出口)［ｋＰａ］、Ｐｏｕｔはガス圧力（出口）［ｋＰａ］、Ｓａｉｒはエアストイキ比を示す。ＰＨ２Ｏ＿ｉｎは水蒸気圧（入口）［ｋＰａ］、Ｐｉｎはガス圧力（入口）［ｋＰａ］を示す。
【００５３】
出力許容電流値Ｉｌｉｍｉｔは、例えば、水収支ＷＢが正の値で大きくなるほど、燃料電池セル１１０内は湿潤状態が高くなるので、出力許容電流値Ｉｌｉｍｉｔが高くなるように補正される。また、水収支ＷＢが負の値で大きくなるほど、燃料電池セル１１０内の乾燥状態が高くなるので、出力許容電流値Ｉｌｉｍｉｔが小さくなるように補正される。なお、どの程度の補正量とするかは、水収支と補正量の関係をあらかじめ実験で求めておき、求めておいた関係の情報を参照することにより決定すればよい。なお、水収支と補正量の関係を示した情報は、水収支算出・補正情報８６０ｄとして記憶部８６０に記憶されている。
【００５４】
以上のように、上記実施例においては、燃料電池セルの容量成分を求めることにより、燃料電池セルの乾燥状態を判定することができる。また、求めた容量成分から、対応する乾燥状態においてドライアップとならないための出力許容電流値を推定することができる。そして、出力許容電流値を超えないように発電を制御することにより、ドライアップの発生を抑制することが可能となる。また、二次電池が満充電状態に近く、充電を繰り返すことができない場合には、一度だけ容量成分を求めて、出力許容電流値を推定し、水収支に応じて出力許容電流値を補正して、補正した出力許容電流値を越えないように発電を制御することにより、ドライアップの発生を抑制することが可能となる。
【００５５】
なお、図２のステップＳ１０８やＳ１２０で測定される容量成分Ｃｓの値は、圧力や温度の影響を受ける。例えば、図５は背圧と容量成分との関係を示す説明図であり、図６は温度と容量成分との関係を示す説明図である。図５に示すように、燃料電池セルの容量成分Ｃｓの値は、背圧が高いほど大きくなる傾向にある。また、図６に示すように、燃料電池セルの容量成分Ｃｓは、温度が高いほど大きくなる傾向にある。従って、燃料電池セルの容量成分Ｃｓを測定する際の圧力や温度条件に応じて、測定された容量成分Ｃｓの値を補正して、補正した容量成分から出力許容電流値を推定することが好ましい。
【００５６】
Ｂ．第２実施例：
第２実施例は、図２のステップＳ１０８およびＳ１２０で求められる容量成分Ｃｓの値の求め方、および、これに伴い、ステップＳ１１０およびＳ１２２で出力許容電流値を求めるために用いられる容量成分と最大電流との関係の情報が異なる点を除いて、第１実施例と全く同じである。そこで、以下では、上記相違点についてのみ説明を加えることとする。
【００５７】
図７は、第２実施例における走査電圧Ｖｓと発生電流Ｉｓとの関係の一例を示す説明図である。ここで、図７は、基本的には、図３に示した第１実施例における走査電圧Ｖｓと発生電流Ｉｓとの関係と同じであり、走査電圧Ｖｓは２００ｍＶ／ｓｅｃの速度で変化させている。ただし、走査電圧Ｖｓの下限を０．８Ｖとし、走査電圧Ｖｓの変化の幅を制限している点に特徴を有している。燃料電池セル１１０に印加する走査電圧の幅が大きいと、アノードおよびカソードを構成する触媒電極から白金等の触媒が溶出し易くなり、燃料電池セルの劣化を招く。そこで、本実施例では、走査電圧Ｖｓの下限を０．８Ｖとして、走査電圧Ｖｓの変化の幅を制限することにより、触媒溶出を抑制している。
【００５８】
従って、本実施例では、制限された走査電圧Ｖｓの範囲での変化に応じて、規定値０．０６Ａ／ｃｍ２以上の発生電流Ｉｓの積算値（図中の斜線領域の面積）を求め、燃料電池セル１１０の容量成分に蓄積された電荷量ｑｓを求め、求めた電荷量ｑｓと査電圧Ｖｓの幅とから容量成分Ｃｓの値を求めるものとしている。
【００５９】
ここで、本実施例で求めた容量成分Ｃｓの値は、走査電圧Ｖｓの幅が制限されているため、蓄積された電荷量ｑｓが小さくなり、これに応じて小さくなる。従って、出力許容電流値Ｉｌｉｍｉｔと容量成分Ｃｓとの関係も図４に示した第１実施例の関係は利用することができず、これに応じたものが必要となる。
【００６０】
図８は、第２実施例における燃料電池セルの容量成分と最大電流との関係を示す説明図である。この図８の関係は、図４の関係と同様に、制限された走査電圧Ｖｓにより求めた容量成分の燃料電池セルの最大電流を実験により求めたものである。容量成分と最大電流の関係は、図４の関係と同様であり、容量成分の値が小さいほど最大電流は小さくなり、燃料電池セルの乾燥度合いが高くなると考えられる。
【００６１】
第２実施例においても、第１実施例と同様に、燃料電池セルの容量成分を求めることにより、燃料電池セルの乾燥状態を判定することができる。また、求めた容量成分から、対応する乾燥状態においてドライアップとならないための出力許容電流値を推定することができる。そして、出力許容電流値を超えないように発電を制御することにより、ドライアップの発生を抑制することが可能となる。また、二次電池が満充電状態に近く、充電を繰り返すことができない場合には、一度だけ容量成分を求めて、出力許容電流値を推定し、水収支に応じて出力許容電流値を補正して、補正した出力許容電流値を越えないように発電を制御することにより、ドライアップの発生を抑制することが可能となる。なお、第２実施例は、第１実施例のように走査電圧Ｖｓの範囲を制限しているので、上記したように、触媒溶出による燃料電池セルの劣化を抑制することができるという効果もある。
【００６２】
Ｃ．第３実施例：
第３実施例は、発電制御部８２０が実行する出力許容電流制御を除いて、第１実施例または第２実施例と全く同じである。そこで、以下では、上記相違点についてのみ説明を加えることとする。
【００６３】
図９は、第３実施例における燃料電池セルの乾燥状態に応じて実行する出力許容電流制御を示すフローチャートである。この制御は、燃料電池システムの動作開始時や二次電池による出力の停止時に、燃料電池による発電が開始される際に実行され、発電動作が継続している間継続される。そして、燃料電池システムの動作停止時や二次電池による出力の開始時に燃料電池の発電を停止する際に終了される。
【００６４】
この制御を開始すると、発電制御部８２０は、ステップＳ２０２において、乾燥状態判定部８３０によって燃料電池セル１１０の乾燥状態に応じて変化する燃料電池セル１１０の容量成分Ｃｓの測定を実行する。次に、ステップＳ２０４において、出力許容電流決定部８４０によって、求めた容量成分Ｃｓの値に対応する乾燥状態の燃料電池セル１１０における出力許容電流値Ｉｌｉｍｉｔを推定する。そして、Ｓ２０６において、発電制御部８２０は、並行して実行している発電制御処理において、求めた出力電流許容値Ｉｌｉｍｉｔを超えないように発電制御を実行する。なお、ステップＳ２０２〜Ｓ２０６における各処理は、第１実施例または第２実施例において説明した各処理と同様に実行することができる。
【００６５】
次に、ステップＳ２０８では、発電制御部８２０は、水収支算出部８５０によって燃料電池セル１１０内の水収支を計算する。なお、この水収支の計算は、第１実施例におけるステップＳ１２４と同様に、上記（１）式〜（４）式を用いて行うことができる。
【００６６】
そして、ステップＳ２１０では、発電制御部８２０は、計算した水収支の積算値が基準値未満であるか否か判断する。なお、ここでは、基準値を「０」とする。水収支の積算値が基準値「０」未満である場合には、燃料電池セルから持ち去られる水の量が供給あるいは生成される水の量よりも多いことを示しており、燃料電池セル１１０の乾燥度合いが高まることを意味している。一方、水収支の積算値が基準値「０」以上である場合には、燃料電池セルから持ち去られる水の量よりも供給あるいは生成される水の量が多いことを意味しており、燃料電池セル１１０の湿潤度合いが高まることを意味している。従って、燃料電池セル１１０の湿潤度合いが高まっている場合には、先に求めた出力許容電流値Ｉｌｉｍｉｔを越えないように発電制御を実行しても、ドライアップが発生する可能性は低くなる方向である。そこで、この場合には、水収支が基準値未満と判断されるまで、水収支の計算（ステップＳ２０８）を繰り返せばよい。
【００６７】
一方、水収支が基準値未満である場合には、上記したように、乾燥度合いが高まるため、先に求めた出力許容電流値Ｉｌｉｍｉｔに基づいて発電制御を実行していた場合には、ドライアップが発生する可能性が高まる方向となる。そこで、この場合には、発電制御部８２０は、ステップＳ２１２において、乾燥状態判定部８３０によって燃料電池セル１１０の乾燥状態に応じて変化する燃料電池セル１１０の容量成分Ｃｓの測定を実行する。次に、ステップＳ２１４において、出力許容電流決定部８４０によって、求めた容量成分Ｃｓの値に対応する乾燥状態の燃料電池セル１１０における出力許容電流値Ｉｌｉｍｉｔを新たに推定する。そして、Ｓ２１６において、発電制御部８２０は、並行して実行している発電制御処理において、新たに求めた出力電流許容値Ｉｌｉｍｉｔを超えないように発電制御を実行する。そして、ステップＳ２０８における水収支の計算からステップＳ２１６における出力許容電流値Ｉｌｉｍｉｔに基づいた発電制御の実行までを繰り返す。
【００６８】
なお、上記説明では、基準値を「０」としていたが、必ずしもその必要はなく、ガス供給条件や、燃料電池セルの種類等によって、乾燥度合いが高まる場合と湿潤度合い高まる場合との境界となる値を、あらかじめ実験的に求めて基準値として設定すればよい。
【００６９】
第３実施例においても、第１実施例と同様に、燃料電池セルの容量成分を求めることにより、燃料電池セルの乾燥状態を判定することができる。また、求めた容量成分から、対応する乾燥状態においてドライアップとならないための出力許容電流値を推定することができる。そして、出力許容電流値を超えないように発電を制御することにより、ドライアップの発生を抑制することが可能となる。水収支の積算値が基準値未満であるか否か判断することにより、燃料電池セルの湿潤度合いが高まる状態の場合には、最初に求めた出力許容電流値に基づいて発電制御を実行し、燃料電池セルの乾燥度合いが高まる状態の場合には、容量成分の測定、出力許容電流値の測定をしなおすことにより、乾燥度合いに応じた出力許容電流値に基づいて発電制御を実行することができる。そして、第３実施例の場合には、第１実施例や第２実施例の場合に比べて、乾燥状態を判定するための容量成分の測定および出力許容電流値の推定回数を低減することが可能である。
【００７０】
Ｄ．変形例：
なお、この発明は上記の実施例や実施形態に限られるものではなく、その要旨を逸脱しない範囲において種々の態様において実施することが可能である。
【００７１】
上記実施例において、燃料電池セルの容量成分Ｃｓの測定タイミングについて、その処理に移行したらそのまま実行する場合を例に説明したが、例えば、処理ステップに移行した際に、先の測定タイミングから一定の間隔経過ごと（例えば、３０秒ごと）に、実行するようにしてもよい。
【００７２】
また、間欠運転終了後に容量成分を測定する場合には、間欠運転の長さに応じて、容量成分の測定、出力許容電流の推定処理を実行しないようにしてもよい。例えば、間欠運転時間が１分以内の場合には、処理を省略し、１分を超えた場合には処理を実行するようにしてもよい。
【００７３】
なお、上記実施例では、出力許容電流値を超えないように発電を制御する処理について説明した。これに対して、出力要求が出力許容電流値を超える場合には、ガス供給部の動作を制御して、ガス供給部が供給するガスを加湿することにより、燃料電池セル内を加湿させるようにすれば、燃料電池セルを加湿して乾燥状態を改善することができるので、出力許容電流値を越える電流を出力するように発電しても、ドライアップが発生して発電性能が低下し、発生電圧が負電圧となって、燃料電池セルが劣化することを抑制することが可能となる。
【００７４】
また、上記実施例では、容量成分を測定する際に走査電圧を一定速度で変化させた場合を例に説明したが、必ずしも一定速度で変化させる場合に限定されるものではない。電圧を走査させた場合に発生する電流は、走査電圧の変化速度に比例するので、例えば、例えば、電圧の変化量を段階的に変化させたり、変化時間を段階的に変化させたりしてもよい。すなわち、走査する電圧と時間の関係が既知あればよい。
【符号の説明】
【００７５】
１０…燃料電池システム
１００…燃料電池
１１０…燃料電池セル
１２０…モニター端子
２００…アノードガス供給部
２１０…水素供給源
２２０…流量調整部
２３０…加湿調整部
２４０…背圧調整バルブ
２７０ａ…配管
２７０ｂ…配管
２７０ｃ…配管
２７０ｄ…配管
２７０ｅ…配管
２８０…露点計
２９０…圧力計
２９２…圧力計
３００…カソードガス供給部
３１０…吸気口
３２０…コンプレッサ
３３０…流量調整部
３４０…加湿調整部
３５０…背圧調整バルブ
３６０…排気口
３７０ａ…配管
３７０ｂ…配管
３７０ｃ…配管
３７０ｄ…配管
３７０ｅ…配管
３７０ｆ…配管
３８０…露点計
３９０…圧力計
３９２…圧力計
４００…冷却装置
４１０ａ…配管
４１０ｂ…配管
４２０…温度計
５００…モニター切替部
６００…ポテンショスタット
６１０…電圧供給端子
６２０…電流計
６３０…電圧計
７００…電力出力制御部
７５０…二次電池
８００…システム制御部
８１０…入出力制御部
８２０…発電制御部
８３０…乾燥状態判定部
８４０…出力許容電流決定部
８５０…水収支算出部
８６０…記憶部
８６０ａ…発電制御情報
８６０ｂ…乾燥状態判定情報
８６０ｃ…出力許容電流決定情報
８６０ｄ…水収支算出・補正情報
９００…負荷装置
【図１】
2012089449.tif 000004
【図２】
2012089449.tif 000005
【図３】
2012089449.tif 000006
【図４】
2012089449.tif 000007
【図５】
2012089449.tif 000008
【図６】
2012089449.tif 000009
【図７】
2012089449.tif 000010
【図８】
2012089449.tif 000011
【図９】
2012089449.tif 000012